(57)【特許請求の範囲】
【請求項１】
その長手方向が二つ折りされる方形状の保護紙と、レンズ等の傷つきやすい物体を挿入するための開口部がその一辺に設けられている外封筒とからなる保護紙付封筒であって、前記保護紙を展開した状態での四隅部にその二辺間を結ぶミシン目状の切り取り線が斜めに設けられ、前記保護紙を二つ折りにして前記外封筒の開口部の内面に前記四隅部の切り取り線が位置するように挿入し、前記保護紙の四隅部の切り取り線から外側の部分が前記外封筒の開口部の内面に接着されてなることを特徴とする保護紙付封筒。
【請求項２】
その長手方向を二つに折る部分の両側辺からそれぞれ所定の長さの切り欠きを有する方形の保護紙と、レンズ等の傷つきやすい物体を挿入するための開口部がその一辺に設けられている外封筒とからなる保護紙付封筒であって、前記保護紙を展開した状態での四隅部にその二辺間を結ぶミシン目状の切り取り線が斜めに設けられ、前記保護紙が二つ折りにして前記外封筒の開口部の内面に前記四隅部の切り取り線が位置するように挿入され、前記保護紙の四隅部の切り取り線から外側の部分が前記外封筒の開口部の内面に接着されてなることを特徴とする保護紙付封筒。
【請求項３】
その長手方向を二つに折る部分の両側辺からそれぞれ所定の長さの切り欠きを有する方形の保護紙と、レンズ等の傷つきやすい物体を挿入するための開口部がその一辺に設けられている外封筒とからなる保護紙付封筒であって、前記保護紙を展開した状態での四隅部にその二辺間を結ぶミシン目状の切り取り線が斜めに設けられ、前記保護紙が二つ折りにして前記外封筒の開口部の内面に前記四隅部の切り取り線が位置するように挿入され、前記保護紙の四隅部の切り取り線から外側の部分が前記外封筒の開口部の内面に接着され、前記外封筒の裏面を延在させて蓋部が構成されてなることを特徴とする保護紙付封筒。
【請求項４】
前記外封筒の両側辺がマチ部を設けた形状になっていることを特徴とする請求項１乃至３のいずれか１項に記載の保護紙付封筒。
【発明の詳細な説明】
【０００１】
【発明の属する技術分野】
本発明は、レンズ等の傷つきやすい物体を包装するための保護紙付封筒に関し、特に、レンズを収納して包装し、レンズの保存もしくは持ち運ぶのに有効な保護紙付封筒に関するものである。
【０００２】
【従来の技術】
従来、レンズ等の傷つきやすい物体を包装する際、レンズ等の傷つきやすい物体は紙封筒に人手によって収納して包装し、保存したり、持ち運んでいる。また、保護紙を介在させて紙封筒に人手によって収納することも知られている。
【０００３】
【発明が解決しようとする課題】
しかしながら、前述の従来のレンズ等の傷つきやすい物体の紙封筒では、物体の出入時に、レンズ等の傷つきやすい物体が紙封筒の摩擦等によって傷等の物理的な損傷を起すという問題があった。
【０００４】
また、保護紙を介在させて紙封筒に収納もしくは取り出す場合、レンズ等の傷つきやすい物体の出入時に、保護紙が物体から離れて物体を傷つける場合があるという問題があった。
【０００５】
また、レンズを保護紙で包んで人手によって紙封筒に収納したり、取り出したりするため、物体の出入作業の効率が悪いという問題があった。
【０００６】
本発明の目的は、レンズ等の傷つきやすい物体を紙封筒に出入れする際に、物体に傷等の物理的な損傷を付けるのを低減することができる保護紙付封筒を提供することにある。
【０００７】
本発明の他の目的は、保護紙を介在させて紙封筒に収納もしくは取り出す作業の効率を向上することができる保護紙付封筒を提供することにある。
【０００８】
本発明の前記ならびにそのほかの目的と新規な特徴は、本明細書の記述および添付図面からあきらかになるであろう。
【０００９】
【課題を解決するための手段】
本願において開示される発明のうち代表的なものの概要を簡単に説明すれば、下記のとおりである。
【００１０】
（１）その長手方向が二つ折りされる方形状の保護紙と、レンズ等の傷つきやすい物体を挿入するための開口部がその一辺に設けられている外封筒とからなる保護紙付封筒であって、前記保護紙を展開した状態での四隅部にその二辺間を結ぶミシン目状の切り取り線が斜めに設けられ、前記保護紙を二つ折りにして前記外封筒の開口部の内面に前記四隅部の切り取り線が位置するように挿入し、前記保護紙の四隅部の切り取り線から外側の部分が前記外封筒の開口部の内面に接着されてなるものである。
【００１１】
（２）その長手方向を二つに折る部分の両側辺からそれぞれ所定の長さの切り欠きを有する方形の保護紙と、レンズ等の傷つきやすい物体を挿入するための開口部がその一辺に設けられている外封筒とからなる保護紙付封筒であって、前記保護紙を展開した状態での四隅部にその二辺間を結ぶミシン目状の切り取り線が斜めに設けられ、前記保護紙が二つ折りにして前記外封筒の開口部の内面に前記四隅部の切り取り線が位置するように挿入され、前記保護紙の四隅部の切り取り線から外側の部分が前記外封筒の開口部の内面に接着されてなるものである。
【００１２】
（３）その長手方向を二つに折る部分の両側辺からそれぞれ所定の長さの切り欠きを有する方形の保護紙と、レンズ等の傷つきやすい物体を挿入するための開口部がその一辺に設けられている外封筒とからなる保護紙付封筒であって、前記保護紙を展開した状態での四隅部にその二辺間を結ぶミシン目状の切り取り線が斜めに設けられ、前記保護紙が二つ折りにして前記外封筒の開口部の内面に前記四隅部の切り取り線が位置するように挿入され、前記保護紙の四隅部の切り取り線から外側の部分が前記外封筒の開口部の内面に接着され、前記外封筒の裏面を延在させて蓋部が構成されてなるものである。
【００１３】
（４）前記（１）乃至（３）の手段のいずれか１つの保護紙付封筒において、前記外封筒の両側辺がマチ部を設けた形状となっているものである。
【００１４】
【発明の実施の形態】
以下、図面を参照して本発明の一実施形態について説明する。図１は本発明の一実施形態による保護紙付封筒を示す斜視図、図２は図１の保護紙付封筒の裏側の平面図、図３は本実施形態の外封筒の展開図、図４は本実施形態の保護紙の展開平面図及び収納時の状態を示す斜視図である。
【００１５】
図１乃至４において、１は外封筒、１ａは外封筒本体、１ｂは蓋部、１ｃはマチ部、１ｄは接着剤塗布部、１ｅは開封用切り欠き部、１ｆは開口部、２は保護紙、２ａ，２ｂはそれぞれ方形状の保護紙２をほぼ二等分した部分、２ｃはミシン目状の切り取り線、２ｄは切り欠き部、３はレンズである。
【００１６】
本実施形態の保護紙付封筒は、図１に示すように、その長手方向を二つに折る部分の両側辺からそれぞれ所定の長さの切り欠き部２ｄを有する方形の保護紙２と、レンズ３を挿入したり、取り出したりするための開口部１ｆがその一辺に設けられている外封筒１で構成されている。
【００１７】
前記外封筒１の表側は、保護紙２を挿入したり取り出したりするための開口部１ｆがその一辺に設けられ、両側辺がマチ部１ｃを設けた形状の外封筒本体１ａが構成されている。その裏面は、図２に示すように、前記外封筒本体１ａの裏面を延在させた蓋部１ｂが一体に構成されている。前記外封筒１の展開図は図３のように構成され、外封筒１の組み立ては、破線の部分をそれぞれ所定方向に折り曲げ、接着剤塗布部１ｄに化学的な接着剤、例えばポリイミド系の接着剤を塗布し、この接着剤塗布部１ｄを外封筒１の本体１ａの表側から接着して一辺開口の封筒を形成する。また、マチ部１ｃは、本保護紙付封筒の開口部１ｆを開きやすくすると共にレンズ３を挿入したり取り出したりしやすくするために設けらている。前記図３において、破線は折り曲げる個所を示している。
【００１８】
前記保護紙２の展開図は、図４（ａ）に示すように、方形状の保護紙２をほぼ二等分した部分２ａ，２ｂからなり、展開した状態での四隅部にその二辺間を結ぶミシン目状の切り取り線２ｃが斜めにそれぞれ設けられ、前記長手方向をほぼ二つに折る部分の両側端からそれぞれ所定の長さの切り欠き部２ｄが設けられている。この切り欠き部２ｄは保護紙２を外封筒１に挿入しやすいようにするために設けられている。
【００１９】
そして、前記保護紙２は、図４（ｂ）に示すように、前記切り欠き部２ｄの破線で示す部分を二つ折りにして、図１に示すように、前記外封筒１の開口部１ｆの内面に前記四隅部の切り取り線２ｃが位置し、切り欠き部２ｄが下になるように、前記保護紙２の四隅部の切り取り線から外側の部分が前記外封筒１の開口部１ｆの内面に例えばポリイミド系の接着剤で接着され、図３に示す破線部を所定の方向に折り曲げ、外封筒１の接着剤塗布部１ｄに例えばポリイミド系の接着剤を塗布して外封筒本体１ａの表面側に接着され、図１に示す本実施形態の保護紙付封筒が構成される。
【００２０】
前記外封筒１の材質は、例えば、紙，樹脂等の薄板を用い、保護紙の材質は、例えば、和紙，樹脂膜等の弾性を有する薄膜を用いる。
【００２１】
前記本実施形態の保護紙付封筒の使用方法は、図４（ｂ）に示すように、保護紙付封筒の開口部１ｆからレンズ３を挿入する。挿入が終ると、蓋部を折り曲げて封止して保存したり、持ち運んだりする。そして、レンズ３を取り出す時は、前記保護紙２のミシン目状の切り取り線２ｃの部分を人手で切り離してレンズ３を包んだまま取り出す。
【００２２】
このようにすることにより、保護紙付封筒が外封筒１と保護紙２と一体になっているので、レンズ３を挿入する場合にも容易に入れることができる。
【００２３】
また、取り出しする場合は保護紙２のミシン目状の切り取り線２ｃの部分を人手で切り離してレンズ３を包んだまま取り出すので、レンズ３に傷等の物理的な損傷を付けることなく容易に取り出すことができる。これによりレンズ３の出入作業の効率を向上することができる。
【００２４】
以上、本発明を実施形態に基づき具体的に説明したが、本発明は、前記実施形態に限定されるものではなく、その要旨を逸脱しない範囲において種々変更し得ることはいうまでもない。
【００２５】
前記実施形態では対象物体をレンズで説明したが、本発明は傷つきやすいものの包装に適用できることは勿論である。
【００２６】
また、例えば、前記実施形態では、マチ部あるいは蓋部を設けた保護紙付封筒を対象として説明したが、本発明は、マチ部あるいは蓋部がないものに適用できることは勿論である。
【００２７】
【発明の効果】
本願において開示される発明のうち代表的なものによって得られる効果を簡単に説明すれば、以下のとおりである。
【００２８】
レンズ等の傷つきやすい物体を包装する際に、物体の傷等の物理的な損傷を低減することができる。また、レンズ等の傷つきやすい物体の包装作業の効率を向上することができる。
【図面の簡単な説明】
【図１】本発明の一実施形態による保護紙付封筒を示す斜視図である。
【図２】図１の保護紙付封筒の裏側の平面図である。
【図３】本実施形態の外封筒の展開図である。
【図４】本実施形態の保護紙の展開平面図及び収納時の状態を示す斜視図である。
【符号の説明】
１…外封筒、１ａ…外封筒本体、１ｂ…蓋部、１ｃ…マチ部、１ｄ…接着剤塗布部、１ｅ…開封用切り欠き部、１ｆ…開口部、２…保護紙、２ａ，２ｂ…それぞれ方形状の保護紙２をほぼ二等分した部分、２ｃ…ミシン目状の切り取り線、２ｄ…切り欠き部、３…レンズ。
【図１】
0003795176.tif 000002
【図２】
0003795176.tif 000003
【図３】
0003795176.tif 000004
【図４】
0003795176.tif 000005